(57)【要約】【課題】解体の際に、誰でも短時間で、しかも確実に光学系部材を含む液晶モジュールを材料ごとに判別し、分離回収し得る液晶表示装置を提供する。【解決手段】構成部材に材料情報が表示された液晶モジュールを備える液晶表示装置。好ましくは、液晶モジュールの構成部材の少なくとも１つに関する材料情報が纏めて表示され、より好ましくは、液晶モジュールの構成部材ごとの材料情報が表示されている。【選択図】図１
2008158059.tif 000002
【特許請求の範囲】
【請求項１】
構成部材に材料情報が表示された液晶モジュールを備える、液晶表示装置。
【請求項２】
液晶モジュールの構成部材の少なくとも１つに関する材料情報が纏めて表示されていることを特徴とする請求項１に記載の液晶表示装置。
【請求項３】
液晶モジュールの構成部材ごとに材料情報が表示されていることを特徴とする請求項１に記載の液晶表示装置。
【請求項４】
前記材料情報は、液晶モジュールの画像形成領域外に表示されていることを特徴とする請求項１〜３のいずれかに記載の液晶表示装置。
【請求項５】
前記材料情報は、液晶モジュールの定位置に表示されることを特徴とする請求項１〜４のいずれかに記載の液晶表示装置。
【発明の詳細な説明】
【技術分野】
【０００１】
本発明は、リサイクルプラントにおける解体の際に、誰でも正確に短時間で分別・回収が可能となる液晶モジュールを備える液晶表示装置に関する。
【背景技術】
【０００２】
現在、液晶表示装置を構成する部材のうち、前後キャビネット、スタンド、液晶のジュール前カバーなど２５ｇ以上の重量の樹脂成形品については、資源有効利用促進法に従い、材料情報の表示がなされている。一方、液晶パネルガラス、プリズム板、拡散板などの光学系の部材を含む液晶モジュールを構成する部材については、それぞれの部品の材料純度が高いにもかかわらず、乱反射、干渉などの影響を考慮して、材料情報の表示はされていない。このため、リサイクルプラントにおいて液晶表示装置を解体する際、上述した光学系の部材を含む液晶モジュールについては、材料ごとの分離回収は作業者の経験に頼る以外なく、判断に時間がかかる上に分離回収は不確実なものであった。
【０００３】
また液晶パネルガラスは、ガラスメーカ、品番などにより添加元素（砒素、アンチモンなど）が異なり、異なる添加元素を含む液晶パネルガラスをブレンドしてリサイクルすると、バージン材と同等の特性が得られないという不具合がある。しかしながら、液晶表示装置の解体時の際に液晶パネルガラスがどのような添加元素を含有しているかは外観上判断することができない。その解決手段としてたとえば特開２００１−２０１７２４号公報（特許文献１）には、蛍光Ｘ線により液晶パネルガラスの種類を判別する方法が提案されているが、解体の現場でＸ線を使うには、管理および取り扱いが面倒であり、誰にもできるものではない。また、特開２０００−８４５３１号公報（特許文献２）に記載されているように、砒素を含まないパネルガラスを破砕して、非鉄精錬の珪石代替として投入、路盤材としてリサイクルしている例もあるが、砒素含有のパネルガラスは無害化処理に費用がかかるため非鉄精錬においてもリサイクルされていないのが実情である。
【０００４】
２００１年４月より家電リサイクル法が施行され、エアコン、テレビ、冷蔵庫、洗濯機の家電４品目（以下、「家電４品目」と略記する）のリサイクルが義務付けられ、また、それぞれの製品の再商品化率については、エアコン６０％以上、テレビ５５％以上、冷蔵庫５０％以上、洗濯機５０％以上の法定基準値が定められている。近年では、パソコン、携帯端末などの液晶表示装置を用いた家電製品が急速に普及しており、上述した家電４品目に加え、液晶表示装置についてもリサイクル対象品目として追加される見込みとなっている。しかしながら、液晶モジュールの構成部材（特に上述した光学系部材）は、材料の判別が困難であるため、将来的に液晶表示装置がリサイクル対象品目として追加された場合には、リサイクルが困難となる事態が予想される。
【特許文献１】特開２００１−２０１７２４号公報
【特許文献２】特開２０００−８４５３１号公報
【発明の開示】
【発明が解決しようとする課題】
【０００５】
本発明は、上記課題に鑑みてなされたものであって、その目的とするところは、解体の際に、誰でも短時間で、しかも確実に光学系部材を含む液晶モジュールを材料ごとに判別し、分離回収し得る液晶表示装置を提供することである。
【課題を解決するための手段】
【０００６】
本発明の液晶表示装置は、構成部材に材料情報が表示された液晶モジュールを備えることを特徴とする。
【０００７】
ここにおいて、液晶モジュールの構成部材の少なくとも１つに関する材料情報が纏めて表示されていることが好ましい。
【０００８】
また本発明の液晶表示装置は、液晶モジュールの構成部材ごとに材料情報が表示されていてもよい。
【０００９】
本発明の液晶表示装置において、前記材料情報は、液晶モジュールの画像形成領域外に表示されていることが好ましい。
【００１０】
また本発明の液晶表示装置において、前記材料情報は液晶モジュールの定位置に表示されていることが好ましい。
【発明の効果】
【００１１】
本発明の液晶表示装置によれば、リサイクルプラントでの解体時に、誰でも短時間で、しかも確実に光学系部材を含む液晶モジュールを材料ごとに判別し、分離回収することができるため、適正なクローズドマテリアルリサイクルの実現が可能となる。
【発明を実施するための最良の形態】
【００１２】
図１は、本発明の好ましい一例の液晶表示装置１を模式的に示す分解斜視図である。本発明の液晶表示装置１は、たとえば図１に示すように、後キャビネット２、スタンド３、前キャビネット４、ならびに、後キャビネット２と前キャビネット４との間に配置された制御基板５および液晶モジュール６を基本的に備える。このうち、液晶モジュール６は、バックライトシャーシ７、反射板８、バックライト９、導光板１０、拡散板１１、プリズム板１２、光学板１３、液晶パネルガラス１４から構成されている。また、液晶モジュール６の液晶パネルガラス１２と前キャビネット４との間には、液晶モジュール前カバー１５が取り付けられている。本発明の液晶表示装置は、構成部材に材料情報が表示された液晶モジュールを備えることを特徴とするものであり、たとえば図１には、液晶モジュール７の構成部品の１つであるバックライトシャーシ７に材料情報が表示されてなる例を示している。
【００１３】
上述したように、液晶表示装置１では、単品で２５ｇ以上の重量の樹脂成形品である前キャビネット４および液晶モジュール前カバー１５には、資源有効利用促進法に従って、たとえばＰＳ（ポリスチロール）、ＰＣ＋ＡＢＳ（ポリカエービーエス）などといった材料情報の表示がなされている。このため、液晶表示装置１を解体する際には、これら前キャビネット４および液晶モジュール前カバー１５については、材料ごとに容易に分別回収することができる。
【００１４】
制御基板５については、基板・電子部品中に金、銀、銅など有価物を多く含むため、通常、基板ごと回収され、精錬などの手段により金、銀、銅などの原材料に再生される。
【００１５】
また液晶モジュール６の構成部材のうち、バックライトシャーシ７などの金属製の部材は、液晶表示装置１の解体時に分離回収され、その後磁力選別や渦電流選別により鉄、アルミなどに分別し、高温処理により再び鉄、アルミなどの原材料として再生される。
【００１６】
また、液晶モジュール６の構成部材のうち、環境負荷物質である水銀を含むバックライト９は、材料情報の表示がされていなくとも水銀を含むことは自明であるため、液晶表示装置１の解体時には適正に分離回収され、処理される。
【００１７】
このため、図１には、液晶モジュール６の構成部材のうち、たとえばバックライトシャーシ７にラベル１６が貼付され、このラベル１６に液晶モジュール６の構成部材の材料情報が表示されてなる例を示している。ここで、図２は、図１に示した液晶表示装置１のラベル１６を拡大して示す図である。図２には、ラベル１６に液晶モジュール６を構成する光学系の部材である光学板１３、プリズム板１２、拡散板１１、導光板１０、反射板８、液晶パネルガラス１４の材料情報が纏めて表示されてなる例が示されている。このように本発明の液晶表示装置では、液晶モジュールの構成部材の少なくとも１つに関する材料情報が纏めて表示されていることが好ましい。
【００１８】
図２に示す例では、光学板１３にはＰＣ（ポリカーボネート）、プリズム板１２、拡散板１１および反射板８にはＰＥＴ（ポリエチレンテレフタレート）、導光板１０にはＰＭＭＡ（ポリメチルメタクリレート）、液晶パネルガラス１４には△△製○○○が使用されていることが一目瞭然であるように示される。このように構成部材に材料情報が表示された液晶モジュールを備える本発明の液晶表示装置によれば、リサイクルプラントでの解体時に、誰でも短時間で、しかも確実に光学系部材を含む液晶モジュールを材料ごとに判別し、分離回収することが可能となる。
【００１９】
ここで、本発明における液晶モジュールの構成部材に表示される材料情報は、樹脂材料については材料表示のみで殆ど無理なくマテリアルリサイクル可能である。しかしながら、液晶パネルガラス１４の場合には、ガラスメーカ、品番などにより異なる添加元素（消泡剤として添加された砒素、アンチモン）を含み、外観上判別が困難であるため、図２に示す例のように、メーカ名、品番を表示しておき、メーカ、品番ごとに回収するようにすることが好ましい。メーカ、品番ごとに回収された液晶パネルガラス１４は、破砕され、またはパネル形状のままガラスメーカに搬送され、１０００℃以上の溶解炉で再溶解・再生される。
【００２０】
また、図２に示す例のようにラベル１６自体の材料情報についても表示することが好ましい（図２に示す例では、ポリスチロール製であることを示す「＞ＰＳ＜」の表示がなされている）。このようにラベル１６自体の材料情報も表示されていることで、ラベル１６についてもリサイクル可能となる。
【００２１】
ラベル１６は、前キャビネット４、後キャビネット２またはスタンド３の一部に貼付されていてもよいが、図１に示す例のように金属製のバックライトシャーシ７に貼付されてなることが特に好ましい。バックライトシャーシ７は、金属製の部材が殆どであり、バックライトシャーシ７を構成する金属をリサイクルする際には、１０００℃近傍の温度で金属を再溶解する。このため、バックライトシャーシ７にラベル１６を貼付しておくことで、ラベル１６およびその粘着物は上記再溶解の際に燃焼消失することになるため、ラベル１６をきれいに剥がす作業が不要となる。これに対し、上述した前キャビネット４、後キャビネット２、スタンド３といったプラスチック製の部材の表面にラベル１６を貼付すると、ラベル１６およびその粘着物を完全に剥がすのに非常に手間がかかる。また、これらのプラスチック製の部材の場合、ラベル１６およびその粘着物といった異種材料は、完全に取り除かないと、リサイクル時にプラスチック中にごみの形で混入することになり、クラックなどの起点になりやすい。さらに、後キャビネット２などにラベル１６を貼付すると、後キャビネット２を分解した時点で、液晶モジュール６と分離されてしまうため、液晶モジュール解体の材料判別に時間がかかる虞もある。
【００２２】
なお、図１および図２には、液晶モジュール６を構成する部材への材料情報の表示の一例として、バックライトシャーシ７にラベル１６を貼付する例を示しているが、材料情報を表示する形態としては勿論これに限定されるものではない。図３〜図６は、本発明の液晶表示装置における材料情報の表示の例をそれぞれ模式的に示す図である。図３〜図６にぞれぞれ示す例は、バックライトシャーシ７に材料情報を提示している点は図１に示した例と同様であるが、それぞれ、バーコード２１として材料情報を纏めて表示した例（図３）、印刷２２として材料情報を纏めて表示した例（図４）、刻印２３として材料情報を纏めて表示した例（図５）、ＩＣタグ２４として材料情報を纏めて表示した例を示している。バーコード２１にて材料情報を表示する場合（図３）には、バーコードリーダーで使用材料の情報を読み取り、印刷２２または刻印２３にて材料情報を表示する場合（図４、図５）には、目視にて使用材料の情報を確認し、また、ＩＣタグ２４にて材料情報を表示する場合（図６）には、読み取り機にて使用材料の情報を読み取るようにすればよい。
【００２３】
本発明の液晶表示装置はまた、上記材料情報は、液晶モジュールの画像を形成する領域（画像形成領域）外に表示されていることが好ましい。たとえば、図１、図３〜図６に示した例ではそれぞれ、液晶表示装置１のパネル側からみてバックライトシャーシ７の裏面右下の隅の部分に材料情報を纏めて表示している。このように材料情報を表示した場合、液晶表示装置１が組み立てられた状態では、当該材料情報の表示は液晶モジュール前カバー１５により隠される部分でありしかも液晶モジュール６の画像形成領域外となる。これによって、液晶表示装置１に画像を形成する際には目障りにならず、また、乱反射などの光学的に悪影響が及ぼされる虞がない。
【００２４】
また、本発明の液晶表示装置は、材料情報が液晶モジュールの定位置に表示されていることが好ましい。たとえば、図１、図３〜図６に示した例のように、液晶表示装置１のパネル側からみてバックライトシャーシ７の裏面右側の隅の部分に材料情報を表示するという規則を予め決めておけば、液晶表示装置１を解体した部材ごとに分別回収する際に、材料情報を探す無駄な手間が省け、迅速かつ確実に分別回収が行えることとなる。
【００２５】
本発明の液晶表示装置では、液晶モジュールの構成部材ごとに材料情報が表示されていても勿論よい。図７にはたとえば、光学系の部材の１つである拡散板１１に材料情報を表示した例を示している。図７には、液晶表示装置１のパネル側からみて拡散板１１の表側右下の隅部分に、当該拡散板１１がＰＥＴ（ポリエチレンテレフタレート）製である旨が印刷２６により表示されてなる例を示している。拡散板１１に印刷２６にて材料情報を表示する場合、たとえばシルク印刷により表示する方法が例示される。なお、上述してきたように、ラベル、バーコード、刻印、ＩＣタグなどを用いて拡散板１１に材料情報を表示するようにしても勿論よい。なお、図７には光学系部材の１つとして拡散板１１を例示しているに過ぎず、この場合には、他の光学系の部材にそれぞれ適宜の方法にて材料情報が表示される。このように、液晶モジュールの構成部材ごとに材料情報が表示されてなる場合には、液晶表示装置を解体する際に、誰でも構成部材ごとに材料情報を確実かつ短時間で把握することができ、効率的な分別回収を行うことでクローズドマテリアルリサイクルを実現できることとなる。
【図面の簡単な説明】
【００２６】
【図１】本発明の好ましい一例の液晶表示装置１を模式的に示す分解斜視図である。
【図２】図１の液晶表示装置１のラベル１６を拡大して示す図である。
【図３】本発明の液晶表示装置における材料情報の表示の例を模式的に示す図である。
【図４】本発明の液晶表示装置における材料情報の表示の例を模式的に示す図である。
【図５】本発明の液晶表示装置における材料情報の表示の例を模式的に示す図である。
【図６】本発明の液晶表示装置における材料情報の表示の例を模式的に示す図である。
【図７】本発明の液晶表示装置における材料情報の表示の例を模式的に示す図である。
【符号の説明】
【００２７】
１  液晶表示装置、２  後キャビネット、３  スタンド、４  前キャビネット、５  制御基板、６  液晶モジュール、７  バックライトシャーシ、８  反射板、９  バックライト、１０  導光板、１１  拡散板、１２  プリズム板、１３  光学板、１４  液晶パネルガラス、１５  液晶モジュール前カバー、１６  ラベル、２１  バーコード、２２  印刷、２３  刻印、２４  ＩＣタグ、２６  印刷。
【図１】
2008158059.tif 000003
【図２】
2008158059.tif 000004
【図３】
2008158059.tif 000005
【図４】
2008158059.tif 000006
【図５】
2008158059.tif 000007
【図６】
2008158059.tif 000008
【図７】
2008158059.tif 000009